(57)【特許請求の範囲】
【請求項１】
ダウンリンク制御チャネルの受信方法であって、
前記方法は、端末に適用され、
前記ダウンリンク制御チャネルを受信するための目標受信方式を確定するステップと、
前記目標受信方式に従って、基地局から送信された前記ダウンリンク制御チャネルを受信するステップと、を含み、
前記目標受信方式は、前記ダウンリンク制御チャネルに対応する目標検索空間を検索する方式を含み、
前記目標検索空間は、前記ダウンリンク制御チャネルの可能な位置情報と前記ダウンリンク制御チャネルの重合度レベル情報を含み、前記端末は、前記ダウンリンク制御チャネルの可能な位置情報が指示する位置において、前記重合度レベル情報に基づいて検索を行い、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式をさらに含む、ダウンリンク制御チャネルの受信方法。
【請求項２】
前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である、請求項１に記載のダウンリンク制御チャネルの受信方法。
【請求項３】
請求項１又は２に記載のダウンリンク制御チャネルの受信方法に適用される端末へ、基地局によって送られるダウンリンク制御チャネルの送信方法であって、
前記基地局による送信方法は、
前記ダウンリンク制御チャネルを受信するための目標受信方式を端末に送信するステップと、
前記ダウンリンク制御チャネルを前記端末に送信するステップと、を含み、
前記目標受信方式は、前記ダウンリンク制御チャネルに対応する目標検索空間を検索する方式を含み、前記目標検索空間は、前記ダウンリンク制御チャネルの可能な位置情報と前記ダウンリンク制御チャネルの重合度レベル情報を含み、前記端末において、前記ダウンリンク制御チャネルの可能な位置情報が指示する位置において、前記重合度レベル情報に基づいて検索が行われ、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式を含む、ダウンリンク制御チャネルの送信方法。
【請求項４】
前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である、請求項３に記載のダウンリンク制御チャネルの送信方法。
【請求項５】
ダウンリンク制御チャネルの受信装置であって、
前記装置は、端末に適用され、
前記ダウンリンク制御チャネルを受信するための目標受信方式を確定するように構成される受信方式確定モジュールと、
前記目標受信方式に従って、基地局から送信された前記ダウンリンク制御チャネルを受信するように構成されるチャンネル受信モジュールと、を含み、
前記目標受信方式は、前記ダウンリンク制御チャネルに対応する目標検索空間を検索する方式を含み、
前記目標検索空間は、前記ダウンリンク制御チャネルの可能な位置情報と前記ダウンリンク制御チャネルの重合度レベル情報を含み、前記端末は、前記ダウンリンク制御チャネルの可能な位置情報が指示する位置において、前記重合度レベル情報に基づいて検索を行い、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式を含む、ダウンリンク制御チャネルの受信装置。
【請求項６】
前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である、請求項５に記載のダウンリンク制御チャネルの受信装置。
【請求項７】
ダウンリンク制御チャネルの受信装置およびダウンリンク制御チャネルの送信装置を備えるシステムであって、
前記送信装置は、基地局に適用され、
前記ダウンリンク制御チャネルを受信するための目標受信方式を端末に送信するように構成される受信方式送信モジュールと、
前記ダウンリンク制御チャネルを前記端末に送信して、前記端末が前記目標受信方式に従って前記ダウンリンク制御チャネルを受信するように構成されるチャンネル送信モジュールと、を含み、
前記受信装置は、端末に適用され、
前記ダウンリンク制御チャネルを受信するための目標受信方式を確定するように構成される受信方式確定モジュールと、
前記目標受信方式に従って、基地局から送信された前記ダウンリンク制御チャネルを受信するように構成されるチャンネル受信モジュールと、を含み、
前記目標受信方式は、前記ダウンリンク制御チャネルに対応する目標検索空間を検索する方式を含み、
前記目標検索空間は、前記ダウンリンク制御チャネルの可能な位置情報と前記ダウンリンク制御チャネルの重合度レベル情報を含み、前記端末は、前記ダウンリンク制御チャネルの可能な位置情報が指示する位置において、前記重合度レベル情報に基づいて検索を行い、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式を含む、システム。
【請求項８】
前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である、請求項７に記載のシステム。
【請求項９】
コンピュータプログラムが記録され、前記コンピュータプログラムは、上記の請求項１又は２に記載のダウンリンク制御チャネルの受信方法を実行することを特徴とするコンピュータ読み取り可能な記録媒体。
【請求項１０】
コンピュータプログラムが記録され、前記コンピュータプログラムは、上記の請求項３又は４に記載のダウンリンク制御チャネルの送信方法を実行することを特徴とするコンピュータ読み取り可能な記録媒体。
【請求項１１】
ダウンリンク制御チャネルの受信装置であって、
前記装置は、端末に適用され、
プロセッサと、
前記プロセッサで実行可能なコマンドを格納するメモリと、を含み、
前記プロセッサは、
前記ダウンリンク制御チャネルを受信するための目標受信方式を確定し、
前記目標受信方式に従って、基地局から送信された前記ダウンリンク制御チャネルを受信するように構成され、
前記目標受信方式は、前記ダウンリンク制御チャネルに対応する目標検索空間を検索する方式を含み、
前記目標検索空間は、前記ダウンリンク制御チャネルの可能な位置情報と前記ダウンリンク制御チャネルの重合度レベル情報を含み、前記端末は、前記ダウンリンク制御チャネルの可能な位置情報が指示する位置において、前記重合度レベル情報に基づいて検索を行い、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式をさらに含む、ダウンリンク制御チャネルの受信装置。
【請求項１２】
ダウンリンク制御チャネルの受信装置である端末へ送られるダウンリンク制御チャネルの送信装置であって、
前記送信装置は、基地局に適用され、
プロセッサと、
前記プロセッサで実行可能なコマンドを格納するメモリと、を含み、
前記プロセッサは、
前記ダウンリンク制御チャネルを受信するための目標受信方式を端末に送信し、
前記ダウンリンク制御チャネルを前記端末に送信して、前記端末が前記目標受信方式に従って前記ダウンリンク制御チャネルを受信するように構成され、
前記目標受信方式は、前記ダウンリンク制御チャネルに対応する目標検索空間を検索する方式を含み、
前記目標受信方式は、前記ダウンリンク制御チャネルに対応する目標検索空間を検索する方式を含み、前記目標検索空間は、前記ダウンリンク制御チャネルの可能な位置情報と前記ダウンリンク制御チャネルの重合度レベル情報を含み、前記端末において、前記ダウンリンク制御チャネルの可能な位置情報が指示する位置において、前記重合度レベル情報に基づいて検索が行われ、
前記目標受信方式は、
前記ダウンリンク制御チャネルの時間領域リソースと周波数領域リソースでの対応する目標位置の情報を受信する方式、または
前記ダウンリンク制御チャネルを送信するための目標ビームを受信する方式をさらに含む、ダウンリンク制御チャネルの送信装置。
【発明の詳細な説明】
【技術分野】
【０００１】
本発明は、通信分野に係り、特に、ダウンリンク制御チャネルの受信、送信方法及び装置に関する。
【背景技術】
【０００２】
関連技術において、ダウンリンク制御チャネル、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）の伝送は、全体のキャリア帯域幅で行い、端末は、通信プロトコル中の規定に基づいて、ＰＤＣＣＨの検索空間を得た後、ＰＤＣＣＨが存在するか否かを検出する。
【０００３】
ただし、５Ｇシステムにおいて、いくつかの端末は、比較的大きなキャリア帯域幅をサポートすることができない。したがって、従来の技術方案を適用する場合、端末は、ダウンリンク制御チャネルを受信することができない可能性がある。
【発明の概要】
【発明が解決しようとする課題】
【０００４】
関連技術に存在する問題を解決するために、本発明の実施例は、ダウンリンク制御チャネルの受信、送信方法及び装置を提供する。
【課題を解決するための手段】
【０００５】
本発明の実施例の第１の態様によると、ダウンリンク制御チャネルの受信方法を提供し、前記方法は、端末に適用され、
前記ダウンリンク制御チャネルを受信するための目標受信方式を確定するステップと、
前記目標受信方式に従って、基地局から送信された前記ダウンリンク制御チャネルを受信するステップと、を含む。
【０００６】
選択的に、前記ダウンリンク制御チャネルを受信するための目標受信方式を確定するステップは、
端末と基地局との間の通信プロトコルのうち前記ダウンリンク制御チャネルに対応する予め設けられた受信方式を、前記ダウンリンク制御チャネルを受信するための目標受信方式とするステップを含む。
【０００７】
選択的に、前記ダウンリンク制御チャネルを受信するための目標受信方式を確定するステップは、
前記基地局が目標シグナリングを介して送信された前記ダウンリンク制御チャネルを受信するための目標受信方式を受信するステップを含み、
前記目標シグナリングは、無線リソース制御シグナリング、システム情報、ＭＡＣ制御ユニット及び物理層シグナリングのうちの少なくとも一つを含む。
【０００８】
選択的に、前記ダウンリンク制御チャネルを受信するための目標受信方式を確定するステップは、
前記ダウンリンク制御チャネルに関連する目標関連情報を確定するステップと、
予め保存された受信方式と関連情報との間の対応関係に基づいて、前記目標関連情報に対応する受信方式を前記ダウンリンク制御チャネルを受信するための目標受信方式とするステップと、を含む。
【０００９】
選択的に、前記関連情報は、目標情報に対してスクランブルするスクランブルシーケンスと、前記端末が属する端末グループとのうちの少なくとも一つを含み、
前記目標情報は、前記端末が前記ダウンリンク制御チャネルを受信する前に受信されたチャネルまたは情報ブロックに対応する情報である。
【００１０】
選択的に、前記目標受信方式は、
前記ダウンリンク制御チャネルの時間領域リソースと周波数領域リソースでの対応する目標位置の情報を受信する方式と、
前記ダウンリンク制御チャネルに対応する目標検索空間を検索する方式と、
目標変調符号化方式に基づいて受信する方式と、
目標周期に基づいて受信する方式と、
前記ダウンリンク制御チャネルを送信するための目標ビームを受信する方式とのうちの少なくとも一つを含む。
【００１１】
選択的に、前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である。
【００１２】
本発明の実施例の第２の態様によると、ダウンリンク制御チャネルの送信方法を提供し、前記方法は、基地局に適用され、
前記ダウンリンク制御チャネルを受信するための目標受信方式を端末に送信するステップと、
前記ダウンリンク制御チャネルを前記端末に送信して、前記端末が前記目標受信方式に従って前記ダウンリンク制御チャネルを受信するステップと、を含む。
【００１３】
選択的に、前記ダウンリンク制御チャネルを受信するための目標受信方式を端末に送信するステップは、
目標シグナリングを介して前記ダウンリンク制御チャネルを受信するための目標受信方式を端末に送信するステップを含み、
前記目標シグナリングは、無線リソース制御シグナリング、システム情報、ＭＡＣ制御ユニット及び物理層シグナリングのうちの少なくとも一つを含む。
【００１４】
選択的に、前記目標受信方式は、
前記ダウンリンク制御チャネルの時間領域リソースと周波数領域リソースでの対応する目標位置の情報を受信する方式と、
前記ダウンリンク制御チャネルに対応する目標検索空間を検索する方式と、
目標変調符号化方式に基づいて受信する方式と、
目標周期に基づいて受信する方式と、
前記ダウンリンク制御チャネルを送信するための目標ビームを受信する方式とのうちの少なくとも一つを含む。
【００１５】
選択的に、前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である。
【００１６】
本発明の実施例の第３の態様によると、ダウンリンク制御チャネルの受信装置を提供し、前記装置は、端末に適用され、
前記ダウンリンク制御チャネルを受信するための目標受信方式を確定するように構成される受信方式確定モジュールと、
前記目標受信方式に従って、基地局から送信された前記ダウンリンク制御チャネルを受信するように構成されるチャンネル受信モジュールと、を含む。
【００１７】
選択的に、前記受信方式確定モジュールは、
端末と基地局との間の通信プロトコルのうち前記ダウンリンク制御チャネルに対応する予め設けられた受信方式を前記ダウンリンク制御チャネルを受信するための目標受信方式とするように構成される第１の確定サブモジュールを含む。
【００１８】
選択的に、前記受信方式確定モジュールは、
前記基地局が目標シグナリングを介して送信された前記ダウンリンク制御チャネルを受信するための目標受信方式を受信するように構成される受信サブモジュールを含み、
前記目標シグナリングは、無線リソース制御シグナリング、システム情報、ＭＡＣ制御ユニット及び物理層シグナリングのうちの少なくとも一つを含む。
【００１９】
選択的に、前記受信方式確定モジュールは、
前記ダウンリンク制御チャネルに関連する目標関連情報を確定するように構成される第２の確定サブモジュールと、
予め保存された受信方式と関連情報との間の対応関係に基づいて、前記目標関連情報に対応する受信方式を前記ダウンリンク制御チャネルを受信するための目標受信方式とするように構成される第３の確定サブモジュールと、を含む。
【００２０】
選択的に、前記関連情報は、目標情報に対してスクランブルするスクランブルシーケンスと、前記端末が属する端末グループとのうちの少なくとも一つを含み、
前記目標情報は、前記端末が前記ダウンリンク制御チャネルを受信する前に受信されたチャネルまたは情報ブロックに対応する情報である。
【００２１】
選択的に、前記目標受信方式は、
前記ダウンリンク制御チャネルの時間領域リソースと周波数領域リソースでの対応する目標位置の情報を受信する方式と、
前記ダウンリンク制御チャネルに対応する目標検索空間を検索する方式と、
目標変調符号化方式に基づいて受信する方式と、
目標周期に基づいて受信する方式と、
前記ダウンリンク制御チャネルを送信するための目標ビームを受信する方式とのうちの少なくとも一つを含む。
【００２２】
選択的に、前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である。
【００２３】
本発明の実施例の第４の態様によると、ダウンリンク制御チャネルの送信装置を提供し、前記装置は、基地局に適用され、
前記ダウンリンク制御チャネルを受信するための目標受信方式を端末に送信するように構成される受信方式送信モジュールと、
前記ダウンリンク制御チャネルを前記端末に送信して、前記端末が前記目標受信方式に従って前記ダウンリンク制御チャネルを受信するように構成されるチャンネル送信モジュールと、を含む。
【００２４】
選択的に、前記受信方式送信モジュールは、
目標シグナリングを介して前記ダウンリンク制御チャネルを受信するための目標受信方式を端末に送信するように構成される送信サブモジュールを含み、
前記目標シグナリングは、無線リソース制御シグナリング、システム情報、ＭＡＣ制御ユニット及び物理層シグナリングのうちの少なくとも一つを含む。
【００２５】
選択的に、前記目標受信方式は、
前記ダウンリンク制御チャネルの時間領域リソースと周波数領域リソースでの対応する目標位置の情報を受信する方式と、
前記ダウンリンク制御チャネルに対応する目標検索空間を検索する方式と、
目標変調符号化方式に基づいて受信する方式と、
目標周期に基づいて受信する方式と、
前記ダウンリンク制御チャネルを送信するための目標ビームを受信する方式とのうちの少なくとも一つを含む。
【００２６】
選択的に、前記目標位置は、目標情報に対する前記ダウンリンク制御チャネルのオフセット量、または、前記ダウンリンク制御チャネルに対応する予め設けられた位置を含み、
前記目標情報は、前記端末が前記ダウンリンク制御チャネルを受信する前に受信されたチャネルまたは情報ブロックに対応する情報である。
【００２７】
本発明の実施例の第５の態様によると、コンピュータ読み取り可能な記録媒体を提供し、前記記録媒体には、コンピュータプログラムが記録され、前記コンピュータプログラムは、上記の第１の態様に記載のダウンリンク制御チャネルの受信方法を実行する。
【００２８】
本発明の実施例の第６の態様によると、コンピュータ読み取り可能な記録媒体を提供し、前記記録媒体には、コンピュータプログラムが記録され、前記コンピュータプログラムは、上記の第２の態様に記載のダウンリンク制御チャネルの送信方法を実行する。
【００２９】
本発明の実施例の第７の態様によると、ダウンリンク制御チャネルの受信装置を提供し、前記装置は、端末に適用され、
プロセッサーと、
プロセッサーで実行可能なコマンドを格納するメモリと、を含み、
前記プロセッサーは、
前記ダウンリンク制御チャネルを受信するための目標受信方式を確定し、
前記目標受信方式に従って、基地局から送信された前記ダウンリンク制御チャネルを受信するように構成される。
【００３０】
本発明の実施例の第８の態様によると、ダウンリンク制御チャネルの送信装置を提供し、前記装置は、基地局に適用され、
プロセッサーと、
プロセッサーで実行可能なコマンドを格納するメモリと、を含み、
前記プロセッサーは、
前記ダウンリンク制御チャネルを受信するための目標受信方式を端末に送信し、
前記ダウンリンク制御チャネルを前記端末に送信して、前記端末が前記目標受信方式に従って前記ダウンリンク制御チャネルを受信するように構成される。
【００３１】
本出願の実施例で提供される技術方案は、以下のような有益な効果を含むことができる。
【００３２】
本発明の実施例において、端末は、先にダウンリンク制御チャネルを受信するための目標受信方式を確定し、その上で、前記目標受信方式に従って、基地局から送信された前記ダウンリンク制御チャネルを受信することができる。上記のプロセスにより、端末から目標受信方式に従ってダウンリンク制御チャネルを受信する目的を実現することで、５Ｇシステムの性能を向上させる。
【００３３】
本発明の実施例において、端末が目標受信方式を確定する時、端末と基地局との間の通信プロトコルに基づいて、ダウンリンク制御チャネルに対応する予め設けられた受信方式を前記目標受信方式としてもよい、または、前記基地局から目標シグナリングを介して送信した前記目標受信方式を受信してもよい、または、前記ダウンリンク制御チャネルに関連する目標関連情報を確定した後、予め保存された受信方式と関連情報との間の対応関係に基づいて、前記目標関連情報に対応する受信方式を前記ダウンリンク制御チャネルを受信するための目標受信方式としてもよい。前記プロセスにより、端末は、ダウンリンク制御チャネルを受信するための目標受信方式を確定することができ、実現が簡単で、使いやすさが高い。
【００３４】
本発明の実施例において、選択的に、端末は、目標受信方式に従ってダウンリンク制御チャネルを受信する場合、前記ダウンリンク制御チャネルの時間領域リソースと周波数領域リソースでの対応する目標位置の情報を受信したり、前記ダウンリンク制御チャネルに対応する目標検索空間を検索することにより、前記ダウンリンク制御チャネルを得たり、目標周期に基づいてダウンリンク制御チャネルを受信したり、前記ダウンリンク制御チャネルを送信するための目標ビームを受信してもよい。上記のプロセスにより、端末が目標受信方式で指示した受信方式に基づいてダウンリンク制御チャネルを受信することで、端末が前記ダウンリンク制御チャネルを受信することができない問題を回避することができる。
【００３５】
本発明の実施例において、基地局は、ダウンリンク制御チャネルを受信するための目標受信方式を端末に送信すると共に、前記ダウンリンク制御チャネルを前記端末に送信することができる。これにより、端末は、前記目標受信方式に従って、ダウンリンク制御チャネルを受信する。上記のプロセスにより、基地局は、目標受信方式とダウンリンク制御チャネルを端末に送信して、端末が前記目標受信方式に従ってダウンリンク制御チャネルを受信することで、５Ｇシステムの性能を向上させる。
【００３６】
本発明の実施例において、基地局は、目標シグナリングを介して目標受信方式を端末に送信することができる。選択的に、前記目標シグナリングは、無線リソース制御シグナリング、システム情報、ＭＡＣ制御ユニット及び物理層シグナリングのうちの少なくとも一つを含んでいる。これにより、実現が簡単で、使いやすさが高い。
【００３７】
なお、前記一般的な記載及び後述の詳細な記載は、単なる例示的で解釈的な記載であり、本発明を限定しない。
【図面の簡単な説明】
【００３８】
ここの図面は、明細書に組み入れて本明細書の一部分を構成し、本発明に該当する実施例を例示するとともに、明細書とともに本発明の原理を解釈する。
【図１】一例示的な実施例に係るダウンリンク制御チャネルの受信方法のフローチャートである。
【図２】一例示的な実施例に係る他のダウンリンク制御チャネルの受信方法のフローチャートである。
【図３Ａ】一例示的な実施例に係るダウンリンク制御チャネルの受信シーンの模式図である。
【図３Ｂ】一例示的な実施例に係るダウンリンク制御チャネルの受信シーンの模式図である。
【図４】一例示的な実施例に係るダウンリンク制御チャネルの送信方法のフローチャートである。
【図５】一例示的な実施例に係るダウンリンク制御チャネルの送信と受信の方法のフローチャートである。
【図６】一例示的な実施例に係る他のダウンリンク制御チャネルの送信と受信の方法のフローチャートである。
【図７】一例示的な実施例に係る他のダウンリンク制御チャネルの送信と受信の方法のフローチャートである。
【図８】一例示的な実施例に係るダウンリンク制御チャネルの受信装置のブロック図である。
【図９】一例示的な実施例に係る他のダウンリンク制御チャネルの受信装置のブロック図である。
【図１０】一例示的な実施例に係る他のダウンリンク制御チャネルの受信装置のブロック図である。
【図１１】一例示的な実施例に係る他のダウンリンク制御チャネルの受信装置のブロック図である。
【図１２】一例示的な実施例に係るダウンリンク制御チャネルの送信装置のブロック図である。
【図１３】一例示的な実施例に係る他のダウンリンク制御チャネルの送信装置のブロック図である。
【図１４】本発明の一例示的な実施例に係るダウンリンク制御チャネルに適用される受信装置の構造模式図である。
【図１５】本発明の一例示的な実施例に係るダウンリンク制御チャネルに適用される送信装置の構造模式図である。
【発明を実施するための形態】
【００３９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００４０】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４１】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００４２】
本発明の実施例は、ダウンリンク制御チャネルの受信方法を提供し、その方法は、端末に適用されることができる。選択的に、前記ダウンリンク制御チャネルは、公共の制御情報を伝送するためのダウンリンク制御チャネルであり、例えば、ＰＤＣＣＨである。図１を参照すると、図１は、一例示的な実施例に係るダウンリンク制御チャネルの受信方法のフローチャートであり、当該ダウンリンク制御チャネルの受信方法は、以下のステップを含んでもよい。
【００４３】
ステップ１０１において、前記ダウンリンク制御チャネルを受信するための目標受信方式を確定する。
【００４４】
ステップ１０２において、前記目標受信方式に従って、基地局から送信された前記ダウンリンク制御チャネルを受信する。
【００４５】
上記の実施例において、端末は、先にダウンリンク制御チャネルを受信するための目標受信方式を確定し、その上で、前記目標受信方式に従って、基地局から送信された前記ダウンリンク制御チャネルを受信することができる。上記のプロセスにより、端末から目標受信方式に従ってダウンリンク制御チャネルを受信する目的を実現することで、５Ｇシステムの性能を向上させる。
【００４６】
上記のステップ１０１において、選択的に、端末は、以下の複数の方法のうちの少なくとも一つの方式を採用して、前記目標受信方式を確定することができる。
【００４７】
第１の方式では、通信プロトコルにより前記目標受信方式を確定する。
【００４８】
この方式において、端末と基地局との間の通信プロトコルにダウンリンク制御チャネルに対応する予め設けられた受信方式が予め設定されば、前記端末は、直接に前記予め設けられた受信方式を前記目標受信方式とする。
【００４９】
第２の方式では、基地局から送信された目標シグナリングにより前記目標受信方式を確定する。
【００５０】
選択的に、前記目標シグナリングは、無線リソース制御シグナリング、システム情報、ＭＡＣ制御ユニット及び物理層シグナリングのうちの少なくとも一つを含む。
【００５１】
本発明の実施例において、基地局は、ＲＲＣ（Ｒａｄｉｏ  Ｒｅｓｏｕｒｃｅ  Ｃｏｎｔｒｏｌ、無線リソース制御）シグナリング、システムメッセージ、ＭＡＣ  ＣＥ（ＭＡＣ  Ｃｏｎｔｒｏｌ  Ｅｌｅｍｅｎｔ、ＭＡＣ制御ユニット）または物理層シグナリングを端末に送信して、前記目標受信方式を前記端末に送信することができ、前記端末は、これを受信すればよい。ここで、前記物理層シグナリングは、一般的にＰＤＣＣＨによりロードしたシグナリングを意味する。
【００５２】
第３の方法では、ダウンリンク制御チャネルとの関連情報に基づいて、前記目標受信方式を確定することができる。
【００５３】
選択的に、図２を参照すると、図２は、図１の実施例に基づいて図示された他のダウンリンク制御チャネルの受信方法のフローチャートであり、ステップ１０１は、以下のステップを含んでもよい。
【００５４】
ステップ１０１−１において、前記ダウンリンク制御チャネルに関連する目標関連情報を確定する。
【００５５】
本発明の実施例において、前記関連情報は、目標情報に対してスクランブルするスクランブルシーケンスであってもよい、ここで、前記目標情報は、前記端末が前記ダウンリンク制御チャネルを受信する前に受信されたチャネルまたは情報ブロックに対応する情報である。
【００５６】
選択的に、目標情報は、ＰＢＣＨ（Ｐｈｙｓｉｃａｌ  Ｂｒｏａｄｃａｓｔ  Ｃｈａｎｎｅｌ、物理放送チャンネル）に対応した情報またはＳＳ  ｂｌｏｃｋ（同期情報ブロック）に対応する情報であってもよい、前記ＳＳ  ｂｌｏｃｋは、少なくともＰＳＳ（Ｐｒｉｍａｒｙ  Ｓｙｎｃｈｒｏｎｉｚａｔｉｏｎ  Ｓｉｇｎａｌ、プライマリー同期信号）、ＰＢＣＨとＳＳＳ（Ｓｅｃｏｎｄａｒｙ  Ｓｙｎｃｈｒｏｎｉｚａｔｉｏｎ  Ｓｉｇｎａｌ、セカンダリ同期信号）を含んでいる。
【００５７】
前記端末は、予め保存された複数のスクランブルシーケンスにより、前記目標情報に対して関連技術に基づいて復調を試みることができ、前記目標情報を成功に復調することができるスクランブルシーケンスは、前記目標関連情報である。
【００５８】
また、前記関連情報は、前記端末が現在に属する端末グループであってもよい。
前記端末グループは、端末の業務の種類や伝送特性などに基づいて端末グループ化を行う。例えば、業務の種類に従ってグルーピングを行う場合には、ＥＭＢＢ（Ｅｎｈａｎｃｅ  Ｍｏｂｉｌｅ  Ｂｒｏａｄｂａｎｄ、強化型モバイルブロードバンド）業務を支持したり、ＵＲＬＬＣ（Ｕｌｔｒａ  Ｒｅｌｉａｂｌｅ＆Ｌｏｗ  Ｌａｔｅｎｃｙ  Ｃｏｍｍｕｎｉｃａｔｉｏｎ、高信頼低遅延通信）業務を支持している異なる業務の種類に従って、端末に対してグルーピングを行うことができる。
【００５９】
伝送特性に基づいてグルーピングを行う場合、基地局が現在のセルでビーム走査を行う時、端末に対応する基地局の発射ビーム方向が異なったり、循環プレフィックス（ｃｙｃｌｉｃ  ｐｒｅｆｉｘ）の長さの値が異なったり、端末がネットワーク側から送信した様々な要求を受信した後に応答を行う時間間隔が異なることなどに従って、端末に対してグルーピングを行うことができる。
【００６０】
本発明の実施例において、前記端末は、すでに自分が属する端末グループを予め保存したり、前記基地局から前記目標シグナリングを介して送信した前記端末が属する端末グループを受信することにより、自分が属する端末グループを前記目標関連情報とする。
【００６１】
ステップ１０１−２において、予め保存された受信方式と関連情報との間の対応関係に基づいて、前記目標関連情報に対応する受信方式を前記ダウンリンク制御チャネルを受信するための目標受信方式とする。
【００６２】
本発明の実施例において、選択的に、前記関連情報がスクランブルシーケンスである場合、前記対応関係は、表１に示すようになる。
【表１】
0006925441.tif 000002
【００６３】
前記関連情報が端末グループである場合、前記対応関係は、表２に示すようになる。
【表２】
0006925441.tif 000003
【００６４】
本ステップにおいて、前記端末は、表１または表２に基づいて、直接に前記目標関連情報に対応する受信方式を前記目標受信方式とすることができる。
【００６５】
もちろん、本発明の実施例において、前記端末は、以上の三つの方式のうちの任意の両方を結合して、前記目標受信方式を確定してもよい、例えば、目標受信方式のうちの一部を通信プロトコルにより予め定義し、残りの部分は、目標シグナリングにより基地局から端末に送信する。または、前記三つの方式を同時に使用して、前記目標受信方式を確定してもよい。
【００６６】
上記の実施例において、端末が目標受信方式を確定する時、端末と基地局との間の通信プロトコルに基づいて、ダウンリンク制御チャネルに対応する予め設けられた受信方式を前記目標受信方式としてもよい、または、前記基地局から目標シグナリングを介して送信した前記目標受信方式を受信してもよい、または、前記ダウンリンク制御チャネルに関連する目標関連情報を確定した後、予め保存された受信方式と関連情報との間の対応関係に基づいて、前記目標関連情報に対応する受信方式を前記ダウンリンク制御チャネルを受信するための目標受信方式としてもよい。前記プロセスにより、端末は、ダウンリンク制御チャネルを受信するための目標受信方式を確定することができ、実現が簡単で、使いやすさが高い。
【００６７】
前記ステップ１０２において、前記目標受信方式を確定した後、前記端末機は、直接に前記目標受信方式に従って、ダウンリンク制御チャネルの受信を行うことができる。
【００６８】
選択的に、前記目標受信方式は、前記ダウンリンク制御チャネルの時間領域リソースと周波数領域リソースでの対応する目標位置の情報を受信する方式と、前記ダウンリンク制御チャネルに対応する目標検索空間を検索する方式と、目標変調符号化方式に基づいて受信する方式と、目標周期に基づいて受信する方式と、前記ダウンリンク制御チャネルを送信するための目標ビームを受信する方式とのうちの少なくとも一つを含んでいる。
【００６９】
対応的に、前記端末は、以下の方法を採用して、前記目標受信方式に従ってダウンリンク制御チャネルを受信することができる。
【００７０】
第１の方式では、前記端末は、前記目標受信方式で指示する時間領域リソースと周波数領域リソースで対応する目標位置の情報を受信することができ、当該情報は、前記ダウンリンク制御チャネルに対応する情報である。
【００７１】
第２の方式では、前記端末は、前記目標受信方式で指示する目標検索空間を検索して、前記ダウンリンク制御チャネルを得ることができる。
【００７２】
選択的に、前記目標検索空間は、前記ダウンリンク制御チャネルの可能な位置情報と前記ダウンリンク制御チャネルの重合度レベル情報などを含んでもよい。前記端末は、前記ダウンリンク制御チャネルの可能な位置情報が指示する位置において、前記重合度レベル情報に基づいて検索を行うことで、前記ダウンリンク制御チャネルを得ることができる。
【００７３】
第３の方式では、前記端末は、目標変調符号化方式に基づいて受信することができる。
【００７４】
この方式において、前記端末は、前記目標変調符号化方式に基づいてダウンリンク制御信号を復調することにより、前記ダウンリンク制御チャネルを得ることができる。
【００７５】
第４の方式では、前記端末は、目標周期に基づいて前記ダウンリンク制御チャネルを受信することができる。
【００７６】
本発明の実施例において、通信プロトコルに前記目標周期を予め定義し、または、基地局により前記目標周期を確定すると共に、前記目標シグナリングを介して前記目標周期を前記端末に送信することができる。
【００７７】
注意すべきなことは、基地局がダウンリンク制御チャネルを送信する周期期間と端末がダウンリンク制御チャネルを受信する前記目標周期の周期期間は、互いに同じであってもよいし、異なってもよい。
【００７８】
例えば、基地局は、期間が５ｍｓである周期を採用してダウンリンク制御チャネルを送信してもよい、前記端末は、同様に期間が５ｍｓである目標周期を採用して前記ダウンリンク制御チャネルを受信してもよい、期間が異なる他の期間、例えば１０ｍｓの目標周期を採用して、前記ダウンリンク制御チャネルを受信してもよい。
【００７９】
第５の方式では、前記基地局から目標ビームを介して前記ダウンリンク制御チャネルを送信すると、前記端末は、前記目標受信方式で指示した前記目標ビームを受信すればよい。
【００８０】
上記の実施例において、端末は、目標受信方式に従ってダウンリンク制御チャネルを受信する場合、前記ダウンリンク制御チャネルの時間領域リソースと周波数領域リソースでの対応する目標位置の情報を受信したり、前記ダウンリンク制御チャネルに対応する目標検索空間を検索することにより、前記ダウンリンク制御チャネルを得たり、目標周期に基づいてダウンリンク制御チャネルを受信したり、前記ダウンリンク制御チャネルを送信するための目標ビームを受信してもよい。上記のプロセスにより、端末が目標受信方式で指示した受信方式に基づいてダウンリンク制御チャネルを受信することで、端末が前記ダウンリンク制御チャネルを受信することができない問題を回避することができる。
【００８１】
一実施例において、前記目標受信方式が前記ダウンリンク制御チャネルの時間領域リソースと周波数領域リソースでの対応する目標位置の情報を受信することを含む場合、前記目標位置は、目標情報に対する前記ダウンリンク制御チャネルのオフセット量であってもよい、ここで、前記目標情報は、前記端末が前記ダウンリンク制御チャネルを受信する前に受信されたチャネルまたは情報ブロックに対応する情報である。
【００８２】
例えば、図３Ａに示すように、前記目標情報は、ＰＢＣＨまたはＳＳ  ｂｌｏｃｋに対応する情報であってもよい、前記通信プロトコルには、前記目標情報に対する前記ダウンリンク制御チャネルのオフセット量を予め定義し、ＳＳ  ｂｌｏｃｋに対する前記ダウンリンク制御チャネルのオフセット量が１であると仮定すると、前記端末は、前記目標情報を受信した後、直接にＳＳ  ｂｌｏｃｋ後の時間領域単位で前記ダウンリンク制御チャネルが位置する目標位置を探すことができる。
【００８３】
注意すべきなことは、上記の実施例において、端末が一本のキャリア上の複数の時間領域と周波数領域の位置に複数のＳＳ  ｂｌｏｃｋを存在する場合、前記端末は、１つまたは複数のダウンリンク制御チャネルを検出することができ、前記ダウンリンク制御チャネルの数は、端末の端末能力と関連している。
【００８４】
または、図３Ｂに示すように、前記目標情報は、ＰＢＣＨまたはＳＳ  ｂｌｏｃｋに対応する情報であってもよい、前記基地局は、前記目標シグナリングを介して前記オフセット量や位置情報を前記端末に送信すると、前記端末は、前記目標シグナリングを受信した後、前記オフセット量に基づいて、前記ダウンリンク制御チャネルに対応する目標位置を確定する。
【００８５】
一実施例において、前記目標受信方式が前記ダウンリンク制御チャネルの時間領域リソースと周波数領域リソースでの対応する目標位置の情報を受信することを含む場合、前記目標位置は、前記ダウンリンク制御チャネルに対応する予め設けられた位置であってもよい。
【００８６】
選択的に、前記基設定位置は、端末と基地局との間の通信プロトコルに予め定義するものであり、例えば、前記通信プロトコルには、時間領域リソースと周波数領域リソースのある位置に前記ダウンリンク制御チャネルを転送するように予め定義されている。
【００８７】
または、前記予め設けられた位置は、基地局が目標シグナリングを介して前記端末に送信したものであり、例えば、基地局は、目標シグナリングを介して時間領域リソースと周波数領域リソースのある位置の情報が前記ダウンリンク制御チャネルに対応することを前記端末に通知する。
【００８８】
本発明の実施例は、ダウンリンク制御チャネルの送信方法を提供し、その方法は、基地局に適用することができる。選択的に、前記ダウンリンク制御チャネルは、公共の制御情報を伝送するためのダウンリンク制御チャネルであり、例えば、ＰＤＣＣＨである。図４を参照すると、図４は、一例示的な実施例に係るダウンリンク制御チャネルの送信方法のフローチャートであり、当該ダウンリンク制御チャネルの送信方法は、以下のステップを含んでもよい。
【００８９】
ステップ２０１において、前記ダウンリンク制御チャネルを受信するための目標受信方式を端末に送信する。
【００９０】
ステップ２０２において、前記ダウンリンク制御チャネルを前記端末に送信して、前記端末が前記目標受信方式に従って前記ダウンリンク制御チャネルを受信する。
【００９１】
上記の実施例において、基地局は、ダウンリンク制御チャネルを受信するための目標受信方式を端末に送信すると共に、前記ダウンリンク制御チャネルを前記端末に送信することができる。これにより、端末は、前記目標受信方式に従って、ダウンリンク制御チャネルを受信する。上記のプロセスにより、基地局は、目標受信方式とダウンリンク制御チャネルを端末に送信して、端末が前記目標受信方式に従ってダウンリンク制御チャネルを受信することで、５Ｇシステムの性能を向上させる。
【００９２】
前記ステップ２０１において、基地局は、目標シグナリングを介して前記目標受信方式を前記端末に送信することができる。選択的に、前記目標シグナリングは、無線リソース制御シグナリング、システム情報、ＭＡＣ制御ユニット及び物理層シグナリングのうちの少なくとも一つを含む。
【００９３】
ここで、基地局は、ＲＲＣシグナリングを端末に送信する場合、ＲＲＣシグナリングを介して前記目標受信方式を前記端末に送信してもよい。
【００９４】
または、基地局は、放送されるシステムメッセージに前記目標受信方式を付けて持っても良い。
【００９５】
前記基地局は、ＭＡＣ  ＣＥを介して前記目標受信方式を端末に送信してもよい。
【００９６】
物理層シグナリングは、一般的にＰＤＣＣＨを介してロードするシグナリングであり、例えば、伝送のフォーマットを指示するためのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ、伝送フォーマット組合指示）シグナリング、電力制御のためのＴＰＣ（Ｔｒａｎｓｍｉｔ  Ｐｏｗｅｒ  Ｃｏｎｔｒｏｌ、伝送電力制御）シグナリング等である。本発明の実施例において、前記基地局は、前記物理層シグナリングを介して前記目標受信方式を端末に送信してもよい。
【００９７】
さらに、前記目標受信方式は、前記ダウンリンク制御チャネルの時間領域リソースと周波数領域リソースでの対応する目標位置の情報を受信する方式と、前記ダウンリンク制御チャネルに対応する目標検索空間を検索する方式と、目標変調符号化方式に基づいて受信する方式と、目標周期に基づいて受信する方式と、前記ダウンリンク制御チャネルを送信するための目標ビームを受信する方式とのうちの少なくとも一つを含んでいる。
【００９８】
ここで、前記目標位置は、目標情報に対する前記ダウンリンク制御チャネルのオフセット量であってもよい、または、当該ダウンリンク制御チャネルに対応する予め設けられた位置であってもよい。ここで、前記目標情報は、前記端末が前記ダウンリンク制御チャネルを受信する前に受信されたチャネルまたは情報ブロックに対応する情報であり、選択的に、ＰＢＣＨまたはＳＳ  ｂｌｏｃｋに対応する情報であってもよい。
【００９９】
前記ステップ２０２において、本発明の実施例において、前記基地局は、ダウンリンク制御チャネルを団地全体内の端末に送信してもよい、端末グループに基づいてそのうちの１つの端末グループ内の端末に送信してもよい。
【０１００】
さらに、端末は、前記目標受信方式に従って前記ダウンリンク制御チャネルを受信する。
【０１０１】
上記の実施例において、基地局から目標シグナリングを介して目標受信方式を端末に送信し、その後、端末は、前記目標受信方式に従って前記目標シグナリングを受信しことで、５Ｇシステムの性能を向上させる。
【０１０２】
図５を参照すると、図５は、一例示的な実施例に係るダウンリンク制御チャネルの送信と受信の方法のフローチャートであり、以下のステップを含んでもよい。
ステップ３０１において、基地局は、ダウンリンク制御チャネルを端末に送信する。
【０１０３】
ステップ３０２において、前記端末は、端末と基地局との間の通信プロトコルのうち前記ダウンリンク制御チャネルに対応する予め設けられた受信方式を前記ダウンリンク制御チャネルを受信するための目標受信方式とする。
ステップ３０３において、前記端末は、前記目標受信方式に従って前記ダウンリンク制御チャネルを受信する。
【０１０４】
前記実施例において、ダウンリンク制御チャネルに対応する受信方式は既に通信プロトコルを介して予め確定されると、端末は、直接に予め設けられた受信方式を目標受信方式とすることにより、前記ダウンリンク制御チャネルを受信すればよい。選択的に、前記予め設けられた受信方式が前記ダウンリンク制御チャネルの時間領域リソースと周波数領域リソースでの対応する目標位置の情報を受信することを含む場合、前記目標位置は、前記ダウンリンク制御チャネルの予め設けられた位置または目標情報に対するオフセット量であってもよい、前記端末は、直接に対応する時間領域リソースと周波数領域リソースの位置で前記ダウンリンク制御チャネルを得ることができる。
【０１０５】
図６を参照すると、図６は、一例示的な実施例に係る他のダウンリンク制御チャネルの送信と受信の方法のフローチャートであり、以下のステップを含んでもよい。
【０１０６】
ステップ４０１において、基地局が目標シグナリングを介して目標受信方式を端末に送信する。
【０１０７】
ステップ４０２において、基地局がダウンリンク制御チャネルを前記端末に送信する。
【０１０８】
ステップ４０３において、前記端末が前記目標受信方式に従って前記ダウンリンク制御チャネルを受信する。
【０１０９】
上記の実施例において、基地局から目標シグナリングを介して目標受信方式を端末に送信すると、端末は、直接に前記目標受信方式に基づいて前記ダウンリンク制御チャネルを受信すればよい。選択的に、前記目標受信方式に前記ダウンリンク制御チャネルの時間領域リソースと周波数領域リソースでの対応する目標位置の情報を受信することを含む場合、前記目標位置は、前記ダウンリンク制御チャネルの予め設けられた位置または目標情報に対するオフセット量であってもよい、前記端末は、直接に対応する時間領域リソースと周波数領域リソースの位置で前記ダウンリンク制御チャネルを得ることができる。
【０１１０】
図７を参照すると、図７は、一例示的な実施例に係る他のダウンリンク制御チャネルの送信と受信の方法のフローチャートであり、以下のステップを含んでもよい。
【０１１１】
ステップ５０１において、ダウンリンク制御チャネルを端末に送信する。
【０１１２】
ステップ５０２において、前記端末は、前記ダウンリンク制御チャネルに関連する目標関連情報を確定する。
【０１１３】
ステップ５０３において、前記端末は、予め保存された受信方式と関連情報との間の対応関係に基づいて、前記目標関連情報に対応する受信方式を前記ダウンリンク制御チャネルを受信するための目標受信方式とする。
【０１１４】
ステップ５０４において、前記端末は、前記目標受信方式に従って前記ダウンリンク制御チャネルを受信する。
【０１１５】
上記の実施例において、前記端末は、ダウンリンク制御チャネルに関連する目標関連情報に基づいて対応する受信方式を確定すると共に、当該受信方式を目標受信方式として、ダウンリンク制御チャネルを受信することができる。
【０１１６】
前述した応用機能の実現方法の実施例と対応するように、本発明は、応用機能の実現装置と対応した端末の実施例を提供する。
【０１１７】
図８を参照すると、図８は、一例示的な実施例に係るダウンリンク制御チャネルの受信装置のブロック図であり、前記装置は、端末に適用され、前記装置は、前記ダウンリンク制御チャネルを受信するための目標受信方式を確定するように構成される受信方式確定モジュール６１０と、前記目標受信方式に従って、基地局から送信された前記ダウンリンク制御チャネルを受信するように構成されるチャンネル受信モジュール６２０と、を含んでいる。
【０１１８】
図９を参照すると、図９は、図８の実施例に基づいて図示された他のダウンリンク制御チャネルの受信装置のブロック図であり、前記受信方式確定モジュール６１０は、端末と基地局との間の通信プロトコルのうち前記ダウンリンク制御チャネルに対応する予め設けられた受信方式を前記ダウンリンク制御チャネルを受信するための目標受信方式とするように構成される第１の確定サブモジュール６１１を含んでいる。
【０１１９】
図１０を参照すると、図１０は、図８の実施例に基づいて図示された他のダウンリンク制御チャネルの受信装置のブロック図であり、前記受信方式確定モジュール６１０は、前記基地局から目標シグナリングを介して送信された前記ダウンリンク制御チャネルを受信するための目標受信方式を受信するように構成される受信サブモジュール６１２を含んでいる。
【０１２０】
ここで、前記目標シグナリングは、無線リソース制御シグナリング、システム情報、ＭＡＣ制御ユニット及び物理層シグナリングのうちの少なくとも一つを含んでいる。
【０１２１】
図１１を参照すると、図１１は、図８の実施例に基づいて図示された他のダウンリンク制御チャネルの受信装置のブロック図であり、前記受信方式確定モジュール６１０は、前記ダウンリンク制御チャネルに関連する目標関連情報を確定するように構成される第２の確定サブモジュール６１３と、予め保存された受信方式と関連情報との間の対応関係に基づいて、前記目標関連情報に対応する受信方式を前記ダウンリンク制御チャネルを受信するための目標受信方式とするように構成される第３の確定サブモジュール６１４と、を含んでいる。
【０１２２】
選択的に、前記関連情報は、目標情報をスクランブルするスクランブルシーケンスと、前記端末が属する端末グループとのうちの少なくとも一つを含み、前記目標情報は、前記端末が前記ダウンリンク制御チャネルを受信する前に受信されたチャネルまたは情報ブロックに対応する情報である。
【０１２３】
選択的に、前記目標受信方式は、前記ダウンリンク制御チャネルの時間領域リソースと周波数領域リソースでの対応する目標位置の情報を受信する方式と、前記ダウンリンク制御チャネルに対応する目標検索空間を検索する方式と、目標変調符号化方式に基づいて受信する方式と、目標周期に基づいて受信する方式と、前記ダウンリンク制御チャネルを送信するための目標ビームを受信する方式とのうちの少なくとも一つを含んでいる。
【０１２４】
選択的に、前記目標位置は、目標情報に対する前記ダウンリンク制御チャネルのオフセット量、または、前記ダウンリンク制御チャネルに対応する予め設けられた位置を含み、前記目標情報は、前記端末が前記ダウンリンク制御チャネルを受信する前に受信されたチャネルまたは情報ブロックに対応する情報である。
【０１２５】
図１２を参照すると、図１２は、一例示的な実施例に係るダウンリンク制御チャネルの送信装置のブロック図であり、前記装置は、基地局に適用され、前記装置は、前記ダウンリンク制御チャネルを受信するための目標受信方式を端末に送信するように構成される受信方式送信モジュール７１０と、前記ダウンリンク制御チャネルを前記端末に送信して、前記端末が前記目標受信方式に従って前記ダウンリンク制御チャネルを受信するように構成されるチャンネル送信モジュール７２０と、を含んでいる。
【０１２６】
図１３を参照すると、図１３は、図１２の実施例に基づいて図示された他のダウンリンク制御チャネルの送信装置のブロック図であり、前記受信方式送信モジュール７１０は、目標シグナリングを介して前記ダウンリンク制御チャネルを受信するための目標受信方式を端末に送信するように構成される送信サブモジュール７１１を含んでいる。
【０１２７】
ここで、前記目標シグナリングは、無線リソース制御シグナリング、システム情報、ＭＡＣ制御ユニット及び物理層シグナリングのうちの少なくとも一つを含んでいる。
【０１２８】
選択的に、前記目標受信方式は、前記ダウンリンク制御チャネルの時間領域リソースと周波数領域リソースでの対応する目標位置の情報を受信する方式と、前記ダウンリンク制御チャネルに対応する目標検索空間を検索する方式と、目標変調符号化方式に基づいて受信する方式と、目標周期に基づいて受信する方式と、前記ダウンリンク制御チャネルを送信するための目標ビームを受信する方式とのうちの少なくとも一つを含んでいる。
【０１２９】
選択的に、前記目標位置は、目標情報に対する前記ダウンリンク制御チャネルのオフセット量、または、前記ダウンリンク制御チャネルに対応する予め設けられた位置を含み、前記目標情報は、前記端末が前記ダウンリンク制御チャネルを受信する前に受信されたチャネルまたは情報ブロックに対応する情報である。
【０１３０】
装置の実施例において、当該実施例は、基本的に方法の実施例と対応するため、関連する内容は、方法の実施例の部分の説明を参照すればよい。以上に説明した装置の実施例は、単に例示的なものであり、ここで、分離部品として説明したユニットは、物理的に分離されてもよい、物理的に分離されないでもよい、ユニットに表示された部品は、物理的なユニットであってもよい、物理的なユニットではなくてもよい。即ち、１つの箇所に位置してもよい、または、複数のネットワークユニットに分布されてもよい、実際の必要に応じて、その中の一部または全部のモジュールを選択して、本発明の実施例の目的を達成することができ、当業者は、創造的な労働をしていない場合、これを理解して実施することができる。
【０１３１】
対応的に、本発明は、コンピュータプログラムが記録されるコンピュータ読み取り可能な記録媒体をさらに提供し、前記コンピュータプログラムは、上記のいずれか１項に記載のダウンリンク制御チャネルの受信方法を実行する。
【０１３２】
対応的に、本発明は、コンピュータプログラムが記録されるコンピュータ読み取り可能な記録媒体をさらに提供し、前記コンピュータプログラムは、上記のいずれか１項に記載のダウンリンク制御チャネルの送信方法を実行する。
【０１３３】
対応的に、本発明は、端末に適用されるダウンリンク制御チャネルの受信装置をさらに提供し、当該ダウンリンク制御チャネルの受信装置は、プロセッサーと、プロセッサーで実行可能なコマンドを格納するメモリと、を含み、前記プロセッサーは、前記ダウンリンク制御チャネルを受信するための目標受信方式を確定し、前記目標受信方式に従って、基地局から送信された前記ダウンリンク制御チャネルを受信するように構成される。
【０１３４】
図１４は、一例示的な実施例に係るダウンリンク制御チャネルの受信装置の構造模式図である。図１４に示すように、一例示的な実施例に係るダウンリンク制御チャネルの受信装置（１４００）において、当該装置（１４００）は、コンピュータ、携帯電話、デジタルブロードキャスト端末、メッセージ送受信機、ゲーム機、タブレットデバイス、医療機器、フィットネス機器、ＰＤＡ等のものであってもよい。
【０１３５】
図１４を参照すると、装置１４００は、処理ユニット１４０１、メモリ１４０２、電源ユニット１４０３、マルチメディアユニット１４０４、オーディオユニット１４０５、入力／出力（Ｉ／Ｏ）インターフェース１４０６、センサーユニット１４０７、及び通信ユニット１４０８からなる群から選ばれる少なくとも１つを備えてもよい。
【０１３６】
処理ユニット１４０１は、一般的には、装置１４００の全体の操作、例えば、表示、電話呼び出し、データ通信、カメラ操作及び記録操作に関連する操作を制御する。処理ユニット１４０２は、上述した方法におけるステップの一部又は全部を実現できるように、命令を実行する少なくとも１つのプロセッサー１４０９を備えてもよい。また、処理ユニット１４０１は、他のユニットとのインタラクションを便利にさせるように、少なくとも１つのモジュールを備えてもよい。例えば、処理ユニット１４０１は、マルチメディアユニット１４０４とのインタラクションを便利にさせるように、マルチメディアモジュールを備えてもよい。
【０１３７】
メモリ１４０２は、装置１４００での操作をサポートするように、各種のデータを記憶するように配置される。これらのデータは、例えば、装置１４００で何れのアプリケーション又は方法を操作するための命令、連絡先データ、電話帳データ、メッセージ、画像、ビデオ等を含む。メモリ１４０２は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１３８】
電源ユニット１４０３は、装置１４００の各種ユニットに電力を供給するためのものであり、電源管理システム、１つ又は複数の電源、及び装置１４００のために電力を生成、管理及び分配することに関連する他のユニットを備えてもよい。
【０１３９】
マルチメディアユニット１４０４は、装置１４００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１４０４は、フロントカメラ及び／又はバックカメラを有してもよい。装置１４００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１４０】
オーディオユニット１４０５は、オーディオ信号を出力及び／又は入力するように配置される。例えば、オーディオユニット１４０５は、マイクロフォン（ＭｉＣ）を有してもよい。装置１４００が、例えば、呼び出しモード、記録モード、又は音声認識モードのような操作モードにあるとき、マイクロフォンは、外部のオーディオ信号を受信するように配置される。受信したオーディオ信号は、メモリ１４０２にさらに記憶されてもよいし、通信ユニット１４０８を介して送信されてもよい。一実施例では、オーディオユニット１４０５は、オーディオ信号を出力するためのスピーカをさらに備えてもよい。
【０１４１】
Ｉ／Ｏインターフェース１４０６は、処理ユニット１４０１と外部のインタフェースモジュールとの間にインターフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１４２】
センサーユニット１４０７は、装置１４００のために各方面の状態を評価する少なくとも１つのセンサーを備えてもよい。例えば、センサーユニット１４０７は、装置１４００のオン／オフ状態や、ユニットの相対的な位置を検出することができる。例えば、前記ユニットは、装置１４００のディスプレイ及びキーパッドである。センサーユニット１４０７は、装置１４００又は装置１４００の１つのユニットの位置の変化や、ユーザが装置１４００に接触しているか否かや、装置１４００の方向又は加速／減速や、装置１４００の温度変化を検出することができる。センサーユニット１４０７は、何れの物理的な接触もない場合に付近の物体を検出するように配置される近接センサーを有してもよい。センサーユニット１４０７は、イメージングアプリケーションに用いるための光センサー、例えば、ＣＭＯＳ又はＣＣＤ画像センサーを有してもよい。一実施例では、当該センサーユニット１４０７は、加速度センサー、ジャイロスコープセンサー、磁気センサー、圧力センサー又は温度センサーをさらに備えてもよい。
【０１４３】
通信ユニット１４０８は、装置１４００と他の設備の間との無線又は有線通信を便利にさせるように配置される。装置１４００は、通信標準に基づく無線ネットワーク、例えば、ＷｉＦｉ、２Ｇ又は３Ｇ、又はそれらの組み合わせにアクセスできる。１つの例示的な実施例では、通信ユニット１４０８は、ブロードキャストチャンネルを介して外部のブロードキャスト管理システムからのブロードキャスト信号又はブロードキャストに関する情報を受信する。１つの例示的な実施例では、前記通信ユニット１４０８は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１４４】
例示的な実施例では、装置１４００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１４５】
例示的な実施例では、命令を有する非一時的コンピュータ読み取り可能な記録媒体、例えば、命令を有するメモリ１４０２をさらに提供する。前記命令は、装置１４００のプロセッサー１４０９により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１４６】
ここで、前記記録媒体における命令が前記プロセッサーにより実行されると、装置（１４００）が上記の任意のダウンリンク制御チャネルの受信方法を実行するようにする。
【０１４７】
対応的に、本発明は、基地局に適用されるダウンリンク制御チャネルの送信装置をさらに提供し、当該ダウンリンク制御チャネルの送信装置は、プロセッサーと、プロセッサーで実行可能なコマンドを格納するメモリと、を含み、前記プロセッサーは、前記ダウンリンク制御チャネルを受信するための目標受信方式を端末に送信し、前記ダウンリンク制御チャネルを前記端末に送信して、前記端末が前記目標受信方式に従って前記ダウンリンク制御チャネルを受信するように構成される。
【０１４８】
図１５に示すように、図１５は、一例示的な実施例に係るダウンリンク制御チャネルの送信装置１５００の構造模式図であり、装置１５００は、１つの基地局として提供されてもよい、図１５を参照すると、装置１５００は、処理ユニット１５２２、無線送受信ユニット１５２４、アンテナユニット１５２６及び無線インターフェース特有の信号処理部を含み、処理ユニット１５２２は、１つまたは複数のプロセッサーをさらに含んでもよい。
【０１４９】
処理ユニット１５２２のうちの１つのプロセッサーは、上記のいずれか一つのダウンリンク制御チャネルの送信方法を実行するように構成される。
【０１５０】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１５１】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
0006925441.tif 000004
【図２】
0006925441.tif 000005
【図３Ａ】
0006925441.tif 000006
【図３Ｂ】
0006925441.tif 000007
【図４】
0006925441.tif 000008
【図５】
0006925441.tif 000009
【図６】
0006925441.tif 000010
【図７】
0006925441.tif 000011
【図８】
0006925441.tif 000012
【図９】
0006925441.tif 000013
【図１０】
0006925441.tif 000014
【図１１】
0006925441.tif 000015
【図１２】
0006925441.tif 000016
【図１３】
0006925441.tif 000017
【図１４】
0006925441.tif 000018
【図１５】
0006925441.tif 000019